(57)【要約】【課題】複数箇所での防犯のための監視効率を向上させる。【解決手段】エントランス１側の防犯用カメラ２が撮影して得た映像情報および駐車場１０側の防犯用カメラ１１が撮影して得た映像情報を映像記録装置３に出力する構成とする。映像記録装置３は開始時刻、終了時刻および入力チャンネルなどを関連付けたテーブルを記憶しており、現在時刻がテーブル上の開始時刻となった場合には、この開始時刻とテーブル上で関連付けられる入力チャンネル情報と対応する入力端子と接続された防犯用カメラからの映像情報を静止映像に変換して記録する。ただしこの場合映像記録装置３は前述した入力チャンネル異なるチャンネルと対応する入力端子と接続された防犯用カメラからの映像情報は記録しない。【選択図】      図１
2007081636.tif 000002
【特許請求の範囲】
【請求項１】
防犯を要する複数の箇所のそれぞれに設けられた防犯用撮影手段と、
前記それぞれの防犯用撮影手段から予め定めた条件に基づいて定めた１つにより撮影して得た映像情報を記録する記録手段と
を備えたことを特徴とする防犯映像管理装置。
【請求項２】
前記記録手段は、予め定めた複数の重複しない時間帯のそれぞれにおいて前記それぞれの防犯用撮影手段のうち前記時間帯ごとに予め定めた１つにより撮影して得た映像情報を記録することを特徴とする請求項１に記載の防犯映像管理装置。
【請求項３】
予め定めた複数の重複しない時間帯の情報と前記それぞれの防犯用撮影手段のうち１つの入力チャンネルの情報とを前記時間帯ごとに関連付けて記憶する記憶手段と、
現在時刻を計時する計時手段とをさらに備え、
前記記録手段は、前記入力チャンネルのそれぞれに対応させて前記防犯用撮影手段と１対１で接続される入力端子を有しており、前記計時手段が計時する現在時刻が前記記憶手段に記憶された情報で示されるいずれかの時間帯に属した場合に、この時間帯の情報と関連付けられて前記記憶手段に記憶される入力チャンネルの情報と対応する前記入力端子と接続される前記防犯用撮影手段が撮影して得た映像情報を記録する
ことを特徴とする請求項１に記載の防犯映像管理装置。
【請求項４】
前記それぞれの防犯用撮影手段の設置箇所の近傍への人の進入を検知するセンサをさらに備え、
前記それぞれの防犯用撮影手段は予め定められた時間間隔で撮影を行ない、
前記それぞれの防犯用撮影手段は前記センサが当該防犯用撮影手段の設置箇所の近傍への人の進入を検知した場合に撮影の時間間隔を短縮することを特徴とする請求項１に記載の防犯映像管理装置。
【請求項５】
前記記憶手段に記憶された時間帯の情報は予め定めた曜日の情報と関連付けられ、
前記計時手段は現在の曜日を認識し、
前記記録手段は、前記記憶手段に記憶された情報で示される曜日のうち前記計時手段が認識した曜日と一致する曜日の情報と関連付けられて前記記憶手段に記憶される情報で示される時間帯に前記計時手段が計時する現在時刻が属した場合に、この時間帯の情報と関連付けられて前記記憶手段に記憶される入力チャンネルの情報と対応する入力端子と接続される前記防犯用撮影手段が撮影して得た映像情報を記録することを特徴とする請求項３に記載の防犯映像管理装置。
【請求項６】
前記記憶手段に記憶された時間帯の情報は予め定めた日付の情報と関連付けられ、
前記計時手段は現在の日付を認識し、
前記記録手段は、前記記憶手段に記憶された情報で示される日付の情報のうち前記計時手段が認識した日付と一致する日付の情報と関連付けられて前記記憶手段に記憶される情報で示される時間帯に前記計時手段が計時する現在時刻が属した場合に、この時間帯の情報と関連付けられて前記記憶手段に記憶される入力チャンネルの情報と対応する入力端子と接続される前記防犯用撮影手段が撮影して得た映像情報を記録することを特徴とする請求項３に記載の防犯映像管理装置。
【請求項７】
予め定めた複数の重複しない時間帯の情報と表示有無識別情報とを前記時間帯ごとに関連付けて記憶する第２の記憶手段と、
前記第２の記憶手段に記憶された情報で示される時間帯のうち前記計時手段が計時する現在時刻が属する時間帯の情報と関連付けられて前記第２の記憶手段に記憶される表示有無識別情報が表示の有効を示す情報であった場合に前記記録手段が記録した映像情報を表示手段に表示させる表示制御手段とをさらに備えたことを特徴とする請求項３に記載の防犯映像管理装置。
【請求項８】
外部から受信した映像情報を表示する手段を有する携帯型端末に対し前記防犯用撮影手段が撮影して得た映像情報を無線により送信する送信手段をさらに備えたことを特徴とする請求項１に記載の防犯映像管理装置。
【発明の詳細な説明】
【技術分野】
【０００１】
本発明は、防犯を要する場所、例えばエレベータのエントランス等で用いられる防犯映像管理装置に関する。
【背景技術】
【０００２】
従来、例えばエレベータのエントランスといった誰でも出入できる場所での犯罪を防止するために、各所に防犯用カメラを取り付ける場合がある。この場合、防犯用カメラの設置箇所の近傍、例えば前述したエントランスの上部の壁向こうには映像記録装置を設置する。この映像記録装置は防犯用カメラが撮影された映像をハードディスクなどに記録する装置である。
【０００３】
防犯を要する箇所が複数である場合には、それぞれの箇所に個別の防犯用カメラを設け、それぞれの防犯用カメラが撮影して得た映像情報のうち単一のカメラが撮影して得た映像情報をモニタに表示させたり、それぞれのカメラが撮影して得た映像情報をあわせて単一のモニタに表示させたりする。
【０００４】
また、複数の箇所をそれぞれ撮影する技術として、例えば特許文献１に開示されたように、１箇所に設けた防犯用カメラの撮影方向を逐次可変する技術がある。
【特許文献１】特開平９−２７１０１７号公報
【発明の開示】
【発明が解決しようとする課題】
【０００５】
前述したように、それぞれの防犯用カメラのうち単一の防犯用カメラが撮影して得た映像情報をモニタに表示させた場合には、管理者はモニタに現在表示されている映像の閲覧が終了しないと他の防犯用カメラが撮影して得た映像を確認することができない。これでは管理者による監視作業の効率が良くない。
【０００６】
また、前述したように、それぞれの防犯用カメラが撮影して得た映像情報をあわせて単一のモニタに表示させた場合には、例えば駐車場と建物外との間の扉が閉まっているなどの理由で人の出入が無いことが明らかである場合でも、この箇所を防犯用カメラが撮影して得た映像がモニタ表示される。この場合には映像記録装置の記憶領域を有効に利用できないので、防犯用カメラによる長時間にわたる連続撮影を行なうことはできない。これらの理由により防犯用カメラを用いた各所の監視効率は十分とはいえなかった。
【０００７】
そこで、本発明の目的は、複数箇所での防犯のための監視効率を向上させることが可能になる防犯映像管理装置を提供することにある。
【課題を解決するための手段】
【０００８】
すなわち、本発明に係わる防犯映像管理装置は、それぞれの防犯用撮影手段から予め定めた条件に基づいて定めた１つにより撮影して得た映像情報を記録することを特徴とする。
【発明の効果】
【０００９】
本発明に係わる防犯映像管理装置では、それぞれの防犯用撮影手段から予め定めた条件に基づいて定めた１つにより撮影して得た映像情報を記録するので、複数箇所での防犯のための監視効率を向上させることができる。
【発明を実施するための最良の形態】
【００１０】
以下図面により本発明の実施形態について説明する。  
図１は、本発明の実施形態にしたがった防犯映像管理装置の設置例を示すブロック図である。  
この防犯映像管理装置による撮影箇所は建物のエントランス１および駐車場１０である。
【００１１】
エントランス１の天井には防犯用カメラ２が設けられる。また、防犯用カメラ２は的確に映像を撮像するために、エントランス１の玄関ドアから比較的離れた箇所の比較的奥側から玄関ドア側を望むような場所に取り付けてもよく、さらには正面の玄関ドアと対侍するエントランス１の壁面の比較的高い位置に取り付けてもよい。
【００１２】
エントランス１の天井裏には映像記録装置３が設けられる。エントランス１の壁面には表示装置４が設けられる。防犯用カメラ２は携帯端末５との間での無線通信機能を有する。携帯端末５は例えばＰＤＡ（Personal Digital Assistant）などの携帯型のコンピュータである。
【００１３】
また、駐車場１０の天井には防犯用カメラ１１が設けられる。防犯用カメラ１１は駐車場１０の全体が撮影できる箇所に取り付けるのが望ましい。防犯用カメラ２，１１は例えばＣＣＤ（Charge Coupled Device）やＣＭＯＳ（Complementary Metal Oxide Semiconductor）などの撮像素子が使用される撮像カメラである。
【００１４】
エントランス１側の防犯用カメラ２は外側から外装体６で覆われる。これにより、防犯用カメラ２をエントランス１の天井に直付けする場合と比較してエントランス１への入場者は防犯用カメラ２の位置を判断しにくい。よってエントランス１での自然な雰囲気の状態を保つことができる。
【００１５】
また、駐車場１０側の防犯用カメラ１１は外側から外装体１２で覆われる。これにより駐車場１０の入場者は防犯用カメラ１１の位置を把握しづらい。よって駐車場１０ではエントランス１側と同様に自然な雰囲気の状態を保つことができる。
【００１６】
映像記録装置３は第１入力端子３１、第２入力端子３２および出力端子３３を備える。エントランス１側の防犯用カメラ２は映像用ケーブル７および制御用ケーブル８を介して映像記録装置３の第１入力端子３１と接続される。また、駐車場１０側の防犯用カメラ１１は映像用ケーブル１３および制御用ケーブル１４を介して映像記録装置３の第２入力端子３２と接続される。
【００１７】
映像記録装置３は防犯用カメラ２が撮影して得た映像情報および防犯用カメラ１１が撮影して得た映像情報を記録する。また、映像記録装置３は記録した映像情報を映像用ケーブル１５を介して表示装置４に表示させる。
【００１８】
図２は、本発明の実施形態にしたがった防犯映像管理装置で用いられるエントランス１側の防犯用カメラ２の内部回路の構成例を示すブロック図である。  
防犯用カメラ２はカメラ本体２１、制御部２２、送受信装置２３および人体センサ２４を備える。カメラ本体２１はレンズや撮像素子などを含む撮影部分である。カメラ本体２１は撮影により得た映像情報を映像用ケーブル７を介して映像記録装置３の第１入力端子３１に出力する。
【００１９】
制御部２２はカメラ本体２１の撮影動作や送受信装置２３の送受信動作を制御する。制御部２２は制御用ケーブル８を介して映像記録装置３の第１入力端子３１と接続される。送受信装置２３は携帯端末５との間で例えば赤外線や無線ＬＡＮ、Ｂｌｕｅｔｏｏｔｈ（登録商標）などによる無線通信を行なう。
【００２０】
Ｂｌｕｅｔｏｏｔｈ（登録商標）とは短距離の無線通信規格に準じた無線インタフェースであり、２．４ＧＨｚのＩＳＭ（Industrial Scientific Medical）帯の無線電波を用いて、およそ１０ｍの無線通信を実現する規格である。人体センサ２４は例えば人体から放出される赤外線を感知することで、予め定められた範囲内に人が近づいたことを検出する。
【００２１】
また、図示はしないが、駐車場１０側の防犯用カメラ１１はエントランス１側の防犯用カメラ２と同様にカメラ本体２１および制御部２２を備える。防犯用カメラ１１のカメラ本体２１は撮影により得た映像情報を映像用ケーブル１３を介して映像記録装置３の第２入力端子３２に出力する。防犯用カメラ１１の制御部２２は制御用ケーブル１４を介して映像記録装置３の第２入力端子３２と接続される。
【００２２】
映像記録装置３は磁気ディスク装置や光ディスク装置などからなる。映像記録装置３は映像情報の記録時に撮影映像とともに撮影年月日や時刻などの映像の管理に必要な情報も所要のフォーマットに従って記録する。さらに必要に応じて映像記録装置３にエントランス１に固有の識別データが割り当てられ、映像情報の漏洩を未然に回避するための漏洩保護手段が講じられている。
【００２３】
図３は、本発明の実施形態にしたがった防犯映像管理装置で用いられる映像記録装置の内部回路の構成例を示すブロック図である。  
映像記録装置３はＣＰＵ３４、記憶部３５、画像処理部３６、エンコーダ３７およびデコーダ３８を備える。ＣＰＵ３４はバス３９を介して記憶部３５および画像処理部３６と接続される。また、ＣＰＵ３４は制御用ケーブル８を介して防犯用カメラ２の制御部２２と接続され、制御用ケーブル１４を介して防犯用カメラ１１の制御部２２と接続される。
【００２４】
ＣＰＵ３４は予め設定された動作条件のもとに映像情報の記録・再生の他、携帯端末５から防犯用カメラ２および制御用ケーブル８を介して受信する制御信号または防犯用カメラ１１および制御用ケーブル１４を介して受信する制御信号に従った処理制御を実行する。
【００２５】
記憶部３５は例えばハードディスクなどからなる。エンコーダ３７は防犯用カメラ２によって撮影されて第１入力端子３１から入力した映像情報を静止映像に変換して画像処理部３６に与える。画像処理部３６はエンコーダ３７が変換して得た静止映像を記憶部３５に記憶する。デコーダ３８は記憶部３５に記録された静止映像をデコード処理して元の映像情報に戻し、これを出力端子３３から表示装置４に出力する。
【００２６】
なお、携帯端末５から映像記録装置３に対して送信する制御情報は映像情報の要求信号、記録時間などの動作条件を設定するための設定信号および表示装置４に表示する映像情報の選択信号などを含む。
【００２７】
図４は、本発明の実施形態にしたがった防犯映像管理装置で用いられる携帯端末の内部回路の構成例を示すブロック図である。  
携帯端末５は建物の管理者が映像情報を含む保守に必要な情報を収集する場合に用いる。携帯端末５はＣＰＵ５１、ＲＯＭ５２、ＲＡＭ５３、操作部５４、表示部５５、映像記憶部５６、メモリカード５７および送受信装置５８を備える。これらはバス５９を介して互いに接続される。
【００２８】
ＣＰＵ５１は端末全体の制御を行なう。ＣＰＵ５１はＲＯＭ５２などに記憶されたプログラムを読み込み、そのプログラムに記述された処理を実行する。ＲＯＭ５２にはＣＰＵ５１を制御するためのプログラムなどが予め記憶される。ＲＡＭ５３は各種情報を一時的に記憶しておくためのワークメモリである。
【００２９】
操作部５４は各種操作キーを有し、例えば映像情報の送信要求や、動作条件の設定、表示する映像情報の選択などを行なう場合に用いられる。表示部５５は例えばＬＣＤ（Liquid Crystal Display）などの表示装置からなり、各種メニュー画面の表示や映像情報の表示などを行なう場合に用いられる。
【００３０】
映像記憶部５６は映像記録装置３から入力した映像情報を記憶する。メモリカード５７は携帯端末５に着脱自在に装着可能である。映像記録装置３は映像記憶部５６に分類管理された映像情報をメモリカード５７に記録してこれを図示しないコンピュータに提供することができる。送受信装置５８は防犯用カメラ２の送受信装置２３との間で無線による情報の送受信を行なう。
【００３１】
映像記録装置３の記憶部３５は映像情報とは別に記録スケジュールテーブルを記憶する。この記録スケジュールテーブルはエントランス１側の防犯用カメラ２が撮影して得た映像情報および駐車場１０側の防犯用カメラ１１が撮影して得た映像情報のうち映像記録装置３の記憶部３５に記憶する映像情報を定義するテーブルである。
【００３２】
図５は、本発明の実施形態にしたがった防犯映像管理装置で用いられる映像記録装置に記憶される記録スケジュールテーブルの構成例を表形式で示す図である。  
記録スケジュールテーブルでは記録用選択番号、開始時刻、終了時刻、記録間隔および入力チャンネルの種別の情報が関連付けられて管理される。記録スケジュールテーブルで示される入力チャンネル“１”は第１入力端子３１と対応し、入力チャンネル“２”は第２入力端子３２と対応する。
【００３３】
記録用選択番号は記録スケジュールのパターンごとに付与された番号である。管理者は記録スケジュールテーブルで管理される記録用選択番号のうち所望のスケジュールのパターンと関わる１つの記録用選択番号を携帯端末５を用いて選択する。すると映像記録装置３は選択された記録用選択番号と関わるスケジュールのパターンに基づいて防犯用カメラ２が撮影して得た映像情報および防犯用カメラ１１が撮影して得た映像情報のうちいずれかを記憶部３５に記憶する。
【００３４】
この記録スケジュールテーブルで管理される各種項目は任意に設定できる。具体的には、まず管理者が携帯端末５の操作部５４に対する予め定められた操作を行なうことで記録スケジュール設定用の画面を表示部５５に表示させる。
【００３５】
この設定用の画面にしたがって管理者が操作部５４に対する予め定められた操作を行なうことで記録スケジュールテーブルにおける各種項目を入力した上で、この入力情報の記録スケジュールテーブルへの反映を指示すると、携帯端末５のＣＰＵ５１は前述した入力情報の記録スケジュールテーブルへの反映を指示するための制御信号を送受信装置５８から無線通信により防犯用カメラ２に送信させる。
【００３６】
防犯用カメラ２の送受信装置２３は携帯端末５から受信した制御信号を制御部２２に出力する。制御部２２は送受信装置２３から入力した情報を制御用ケーブル８を介して映像記録装置３に出力する。映像記録装置３のＣＰＵ３４は防犯用カメラ２から入力した情報で示される各種項目を記憶部３５に記憶された記録スケジュールテーブルに反映させる。
【００３７】
記録スケジュールテーブルでは記録用選択番号のそれぞれに対して複数種類の開始時刻を設定できる。これらの開始時刻には終了時刻、記録間隔および入力チャンネルの情報を関連付けて設定できる。ただし、同一の記録用選択番号と関連付けられるそれぞれの開始時刻およびこれと関連付けられる終了時刻で決定付けられる時間帯は重複しないと仮定する。
【００３８】
ここでは図５に示すように複数パターンの記録スケジュールが映像記録装置３の記憶部３５に記憶されると仮定する。管理者は携帯端末５の操作部５４に対する操作を行なうことで、記録スケジュールテーブルで管理される記録用選択番号のうち所望の開始時刻、終了時刻、記録間隔および入力チャンネルの情報が関連付けられる番号を指定する。
【００３９】
すると、携帯端末５のＣＰＵ５１はこの指定された記録用選択番号の情報を送受信装置５８から防犯用カメラ２に送信させる。防犯用カメラ２の送受信装置２３は携帯端末５からの番号の情報を入力すると、これを制御部２２に出力する。制御部２２は携帯端末５から受信した番号の情報を制御用ケーブル８を介して映像記録装置３へ出力する。映像記録装置３のＣＰＵ３４は防犯用カメラ２からの番号の情報を入力すると、これを記憶部３５に記憶する。
【００４０】
次に、図１に示した構成の防犯映像管理装置の動作について説明する。  
エントランス１側の防犯用カメラ２は撮影して得た映像情報をＮＴＳＣ（National Television System Committee）方式によりアナログ情報として映像用ケーブル７を介して映像記録装置３に伝送する。また、駐車場１０側の防犯用カメラ１１は撮影して得た映像情報をＮＴＳＣ方式によりアナログ情報として映像用ケーブル１３を介して映像記録装置３に伝送する。
【００４１】
映像記録装置３のＣＰＵ３４は記憶部３５に記憶された情報のうち前述のように管理者により指定された記録用選択番号の情報および記録スケジュールテーブルの情報を読み出し、記録スケジュールテーブル中の記録用選択番号のうち管理者から指定された記録用選択番号と一致する番号と関連付けられる各種情報を検索する。
【００４２】
例えば管理者が指定した記録用選択番号が“１”である場合にはＣＰＵ３４は記憶部３５に記憶された記録スケジュールテーブルから記録用選択番号”１”と関連付けられる開始時刻、終了時刻、記録間隔および入力チャンネルの情報を検索する。
【００４３】
ＣＰＵ３４は現在の時刻を計時している。ＣＰＵ３４は現在の時刻が前述のように検索した開始時刻となった場合には、この開始時刻の情報と記録スケジュールテーブル上で関連付けられる入力チャンネルと対応する入力端子から入力した映像情報を前述した開始時刻の情報と記録スケジュールテーブル上で関連付けられる記録間隔と対応する時間間隔で静止映像へ変換するよう指示するための制御信号をエンコーダ３７に出力する。
【００４４】
記録スケジュールテーブルが図５に示した構成であり、管理者が指定した記録用選択番号が“１”で現在の時刻が０時００分から７時００分の間にある場合には、図５に示したテーブル上で関連付けられる記録間隔は１．０秒であり、同じく関連付けられる入力チャンネルは“１”である。この場合エンコーダ３７は第１入力端子３１から入力した映像情報を１秒あたり１枚の間隔で静止映像に変換する。ただしこの場合エンコーダ３７は第２入力端子３２から入力した映像情報は静止映像に変換しない。
【００４５】
また、管理者が指定した記録用選択番号が“１”で現在の時刻が７時００分から１８時００分の間にある場合には、この時間帯に属する開始時刻の情報と図５に示したテーブル上で関連付けられる記録間隔が１．０秒であり、同じく関連付けられる入力チャンネルが“２”である。この場合エンコーダ３７は第２入力端子３２から入力した映像情報を１秒あたり１枚の間隔で静止映像に変換する。ただしこの場合エンコーダ３７は第１入力端子３１から入力した映像情報は静止映像に変換しない。
【００４６】
また、防犯用カメラ２の人体センサ２４は人体の接近を検知すると、これを示す制御信号を制御部２２に出力する。制御部２２は人体センサ２４からの制御信号を入力すると映像情報の記録間隔を可変するよう指示するための制御信号を制御用ケーブル８を介して映像記録装置３へ出力する。
【００４７】
映像記録装置３のＣＰＵ３４は防犯用カメラ２からの制御信号を入力すると記録間隔の可変にかかる制御信号をエンコーダ３７に出力する。エンコーダ３７はＣＰＵ３４からの制御信号を入力すると防犯用カメラ２からの映像情報の静止映像へ変換に関する時間間隔を現在の５分の１とする。
【００４８】
つまり、エンコーダ３７は例えば１秒あたり１枚の間隔で防犯用カメラ２からの映像情報を静止映像に変換している状態で記録間隔の可変にかかる制御信号を防犯用カメラ２から入力すると防犯用カメラ２からの映像情報を０．２秒につき１枚の間隔で静止映像に変換する。
【００４９】
これにより、映像記録装置３はエントランス１に人が進入している場合に防犯用カメラ２が撮影して得た映像情報を高密度で記録できる。また、人体センサ２４を防犯用カメラ１１に設け、この人体センサ２４が駐車場１０への人の進入を検知した場合に、映像記録装置３による防犯用カメラ１１からの映像情報の静止映像への変換にかかる時間間隔を可変させてもよい。
【００５０】
また、映像記録装置３の記憶部３５は映像情報や記録スケジュールテーブルとは別に表示スケジュールテーブルを記憶する。この表示スケジュールテーブルはエントランス１側の防犯用カメラ２や駐車場１０側の防犯用カメラ１１による撮影を経て映像記録装置３の記憶部３５に記憶された静止映像情報の表示装置４への表示の有無を予め定めた時間帯ごとに定義するテーブルである。
【００５１】
図６は、本発明の実施形態にしたがった防犯映像管理装置で用いられる映像記録装置に記憶される表示スケジュールテーブルの構成例を表形式で示す図である。  
この表示スケジュールテーブルでは表示用選択番号、開始時刻、終了時刻および表示有無識別情報が関連付けられて管理される。
【００５２】
表示用選択番号は表示スケジュールの種別ごとに付与された番号である。管理者はこれらのうち所望の表示スケジュールと対応する１つの番号を携帯端末５を用いて選択する。すると、映像記録装置３は選択された番号と関わる表示スケジュールに基づいて防犯用カメラ２による撮影を経て記憶部３５に記録された静止映像情報および防犯用カメラ１１による撮影を経て記憶部３５に記録された静止映像情報のうちいずれかの表示装置４への表示の有無を切り替える。表示有無識別情報“１”は表示の有効を示し、表示有無識別情報“０”は表示の無効を示す。
【００５３】
この表示スケジュールテーブルで管理される情報は任意に設定できる。具体的には、まず管理者が携帯端末５の操作部５４に対する予め定められた操作を行なうことで表示スケジュール設定用の画面を表示部５５に表示させる。
【００５４】
この画面にしたがって管理者が操作部５４に対する予め定められた操作を行なうことで表示スケジュールテーブルにおける各種項目を入力し、この入力した情報の表示スケジュールテーブルへの反映を指示すると、携帯端末５のＣＰＵ５１は前述した入力情報の表示スケジュールテーブルへの反映を指示するための制御信号を送受信装置５８から防犯用カメラ２に送信させる。
【００５５】
防犯用カメラ２の送受信装置２３は携帯端末５から受信した制御信号を制御部２２に出力する。制御部２２は送受信装置２３から入力した情報を制御用ケーブル８を介して映像記録装置３に出力する。映像記録装置３のＣＰＵ３４は防犯用カメラ２から入力した情報で示される各種項目を記憶部３５に記憶された表示スケジュールテーブルに反映させる。
【００５６】
表示スケジュールテーブルでは表示用選択番号のそれぞれに対して複数種類の開始時刻を設定できる。これらの開始時刻には終了時刻および表示有無識別情報を関連付けて設定できる。ただし、同一の表示用選択番号と関連付けられるそれぞれの開始時刻およびこれと関連付けられる終了時刻で定められる時間帯は重複しないと仮定する。
【００５７】
ここでは図６に示すように複数のパターンの表示スケジュールが映像記録装置３の記憶部３５に記憶されたと仮定する。管理者は携帯端末５の操作部５４に対する操作を行なうことで、表示スケジュールテーブルで管理される表示用選択番号のうち所望の時刻などの情報が関連付けられる番号を指定する。すると携帯端末５のＣＰＵ５１はこの指定された表示用選択番号の情報を送受信装置５８から防犯用カメラ２に送信させる。
【００５８】
防犯用カメラ２の送受信装置２３は携帯端末５からの情報を入力すると、これを制御部２２に出力する。この制御部２２は制御用ケーブル８を介して映像記録装置３へ出力する。映像記録装置３のＣＰＵ３４は防犯用カメラ２からの情報を入力すると、記憶部３５に記憶される表示スケジュールテーブルのうち前述したように入力した情報で示される番号と関連付けられる開始時刻、終了時刻および表示有無識別情報を検索する。
【００５９】
表示スケジュールテーブルが図６に示した構成であり、管理者が指定した表示用選択番号が“１”で現在の時刻が０時００分から７時３０分の間にある場合には、この時間帯に属する開始時刻の情報とで関連付けられる表示有無識別情報は“１”である。この場合にはＣＰＵ３４は記憶部３５に記憶される静止映像情報を読み出して画像処理部３６に出力する。画像処理部３６は入力した情報をデコーダ３８に出力する。これにより記憶部３５に記憶された静止映像情報が表示装置４に表示される。
【００６０】
また、管理者が指定した表示用選択番号が“１”で現在の時刻が７時３０分から１９時３０分の間にある場合には、この時間帯に属する開始時刻の情報とで関連付けられる表示有無識別情報は“０”である。この場合にはＣＰＵ３４は記憶部３５に記憶される静止映像情報を表示装置４へ表示させない。
【００６１】
以上説明したように本発明の実施形態にしたがった防犯映像管理装置の映像記録装置３は、防犯を要する複数の箇所にそれぞれ設けられた防犯用カメラが撮影して得た静止映像情報のうち時間帯ごとに任意に予め定められた種別の防犯用カメラが撮影して得た静止映像情報を静止映像に変換してこれを記憶部３５に記憶する。よって管理者は映像記録装置３が記録した静止映像を表示する際のチャンネルの切り替え操作が不要となる。また、映像記録装置の記憶部３５の記憶領域の使用領域を必要最低限に抑えることができるので、長時間にわたる継続的な映像記録が行なえる。
【００６２】
次に、本発明の実施形態にしたがった防犯映像管理装置の第１の変形例について説明する。図７は、本発明の実施形態にしたがった防犯映像管理装置の第１の変形例で用いられる映像記録装置に記憶される記録スケジュールテーブルの構成例を表形式で示す図である。
【００６３】
この記録スケジュールテーブルでは、記録用選択番号、曜日、記録間隔および入力チャンネルの情報が関連付けて管理される。
【００６４】
この場合、映像記録装置３のＣＰＵ３４は記憶部３５に記憶された情報のうち前述のように管理者により指定された記録用選択番号の情報および記録スケジュールテーブルの情報を読み出し、記録スケジュールテーブル中の記録用選択番号のうち管理者からの指定番号と一致する記録用選択番号と関連付けられる各種情報を検索する。例えば管理者が指定した記録用選択番号が“２”である場合には、ＣＰＵ３４は図７に示したテーブルのうち、“記録用選択番号２”の情報と関連付けられる曜日、記録間隔および入力チャンネルの情報を検索する。
【００６５】
ＣＰＵ３４は現在の曜日を認識している。ＣＰＵ３４は現在の曜日が前述のように認識した情報に含まれる曜日となった場合に、エンコーダ３７に対し、この曜日の情報と記録スケジュールテーブル上で関連付けられる入力チャンネルの番号と一致する番号の情報を含む映像情報を前述した曜日の情報と記録スケジュールテーブル上で関連付けられる記録間隔と対応する時間間隔で静止映像へ変換するよう指示する為の制御信号を出力する。
【００６６】
記録スケジュールテーブルが図７に示した構成であり、管理者が指定した番号が“２”で現在の曜日が月曜日である場合には、この曜日の情報と図７に示したテーブル上で関連付けられる記録間隔は０．５秒であり、同じく関連付けられる入力チャンネルは“１”である。この場合には、エンコーダ３７は第１入力端子３１から入力した映像情報を０．５秒あたり１枚の間隔で静止映像に変換する。ただしこの場合エンコーダ３７は第２入力端子３２から入力した映像情報は静止映像に変換しない。
【００６７】
また、管理者が指定した番号が“２”で現在の曜日が土曜日である場合には、この曜日の情報と図７に示したテーブル上で関連付けられる記録間隔が１．０秒で、同じく関連付けられる入力チャンネルが“２”である。この場合にはエンコーダ３７は第２入力端子３２から入力した映像情報を１秒あたり１枚の間隔で静止映像に変換する。ただしこの場合エンコーダ３７は第１入力端子３１から入力した映像情報は静止映像に変換しない。
【００６８】
このような処理を行なえば、映像記録装置３側で記録する静止映像の元となる映像情報を曜日に応じて選択することができる。
【００６９】
次に、本発明の実施形態にしたがった防犯映像管理装置の第２の変形例について説明する。図８は、本発明の実施形態にしたがった防犯映像管理装置の第２の変形例で用いられる映像記録装置に記憶される記録スケジュールテーブルの構成例を表形式で示す図である。
【００７０】
このテーブルでは、記録用選択番号、曜日・日付、開始時刻、終了時刻、記録間隔および入力チャンネルの情報を関連付けて管理される。
【００７１】
この場合、映像記録装置３のＣＰＵ３４は記憶部３５に記憶された情報のうち前述のように管理者により指定された番号の情報および記録スケジュールテーブルの情報を読み出し、記録スケジュールテーブル中の記録用選択番号のうち管理者からの指定番号と一致する記録用選択番号と関連付けられる各種情報を検索する。
【００７２】
記録スケジュールテーブルが図８に示した構成であり、管理者が指定した番号が“１”である場合には、ＣＰＵ３４は図８に示したテーブルのうち、“記録用選択番号１”の情報と関連付けられる曜日、記録間隔および入力チャンネルの情報を検索する。
【００７３】
映像記録装置３のＣＰＵ３４は現在の曜日および日付時刻を認識している。ＣＰＵ３４は現在の曜日が前述のように検索した情報に含まれる曜日となって、現在時刻が前述した曜日の情報と関連付けられる開始時刻となった場合に、エンコーダ３７に対し、この開始時刻の情報と記録スケジュールテーブル上で関連付けられる入力チャンネルの番号と一致する番号の情報を含む映像情報を前述した開始時刻の情報と記録スケジュールテーブル上で関連付けられる記録間隔と対応する時間間隔で静止映像へ変換するよう指示する為の制御信号を出力する。
【００７４】
管理者が指定した番号が“２”で現在の曜日および時刻が月曜日の０時００分から７時００分の間である場合には、この曜日の情報と図８に示したテーブル上で関連付けられる開始時刻が“０：００”であり、この開始時刻とテーブル上で関連付けられる記録間隔は１．０秒であり、前述した開始時刻と同じく関連付けられる入力チャンネルは“１”である。この場合、エンコーダ３７は第１入力端子３１から入力した映像情報を１秒あたり１枚の間隔で静止映像に変換する。ただしこの場合エンコーダ３７は第２入力端子３２から入力した映像情報は静止映像に変換しない。
【００７５】
また、例えば管理者が指定した番号が“２”で現在の曜日および時刻が土曜日の８時００分から２１時００分の間である場合には、この曜日の情報と図８に示したテーブル上で関連付けられる開始時刻は“８：００”であり、この開始時刻とテーブル上で関連付けられる記録間隔は０．５秒であり、前述した開始時刻と同じく関連付けられる入力チャンネルは“２”である。この場合、エンコーダ３７は第２入力端子３２から入力した映像情報を０．５秒あたり１枚の間隔で静止映像に変換する。ただしこの場合エンコーダ３７は第１入力端子３１から入力した映像情報は静止映像に変換しない。  
このような処理を行なえば、映像記録装置３側で記録する静止映像の元となる映像情報を曜日および現在時刻に応じて選択することができる。
【００７６】
また、ＣＰＵ３４は現在の日付が前述のように検索した情報に含まれる日付と一致し、現在時刻が前述した日付の情報と関連付けられる開始時刻となった場合には、現在の曜日と関係なく、この開始時刻の情報と記録スケジュールテーブル上で関連付けられる入力チャンネルの番号と一致する番号の情報を含む映像情報を前述した開始時刻の情報と記録スケジュールテーブル上で関連付けられる記録間隔と対応する時間間隔で静止映像へ変換するよう指示する為の制御信号をエンコーダ３７に出力する。
【００７７】
例えば管理者が指定した番号が“２”で現在の日付および時刻が１０月１０日の０時００分から２４時００分の間である場合には、この日付が図８に示したテーブルで管理されており、この日付とテーブル上で関連付けられる開始時刻は“０：００”であり、この開始時刻とテーブル上で関連付けられる記録間隔は１．０秒であり、前述した開始時刻と同じく関連付けられる入力チャンネルは“１”である。この場合エンコーダ３７は第１入力端子３１から入力した映像情報を１秒あたり１枚の間隔で静止映像に変換する。ただしこの場合エンコーダ３７は第２入力端子３２から入力した映像情報は静止映像に変換しない。
【００７８】
以上説明した実施形態では、映像記録装置３は防犯用カメラ２，１１で撮影して得た映像情報をもとにした静止映像を記憶部３５に記憶したが、これに限らず、表示装置４に表示させるための特定のメッセージを示す情報を記憶部３５に予め記憶しておいてもよいし、広告媒体の情報や一般テレビ放送などのメディア情報などを外部から入力してこれを記憶部３５に記憶するようにしてもよい。
【００７９】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００８０】
【図１】本発明の実施形態にしたがった防犯映像管理装置の設置例を示すブロック図。
【図２】本発明の実施形態にしたがった防犯映像管理装置で用いられる防犯用カメラの内部回路の構成例を示すブロック図。
【図３】本発明の実施形態にしたがった防犯映像管理装置で用いられる映像記録装置の内部回路の構成例を示すブロック図。
【図４】本発明の実施形態にしたがった防犯映像管理装置で用いられる携帯端末の内部回路の構成例を示すブロック図。
【図５】本発明の実施形態にしたがった防犯映像管理装置で用いられる映像記録装置に記憶される記録スケジュールテーブルの構成例を表形式で示す図。
【図６】本発明の実施形態にしたがった防犯映像管理装置で用いられる映像記録装置に記憶される表示スケジュールテーブルの構成例を表形式で示す図。
【図７】本発明の実施形態にしたがった防犯映像管理装置の第１の変形例で用いられる映像記録装置に記憶される記録スケジュールテーブルの構成例を表形式で示す図。
【図８】本発明の実施形態にしたがった防犯映像管理装置の第２の変形例で用いられる映像記録装置に記憶される記録スケジュールテーブルの構成例を表形式で示す図。
【符号の説明】
【００８１】
１…エントランス、２，１１…防犯用カメラ、３…映像記録装置、４…表示装置、５…携帯端末、６，１２…外装体、７，１３，１５…映像用ケーブル、８，１４…制御用ケーブル、１０…駐車場、２１…カメラ本体、２２…制御部、２３，５８…送受信装置、２４…人体センサ、３１…第１入力端子、３２…第２入力端子、３３…出力端子、３４，５１…ＣＰＵ、３５…記憶部、３６…画像処理部、３７…エンコーダ、３８…デコーダ、３９，５９…バス、５２…ＲＯＭ、５３…ＲＡＭ、５４…操作部、５５…表示部、５６…映像記憶部、５７…メモリカード。
【図１】
2007081636.tif 000003
【図２】
2007081636.tif 000004
【図３】
2007081636.tif 000005
【図４】
2007081636.tif 000006
【図５】
2007081636.tif 000007
【図６】
2007081636.tif 000008
【図７】
2007081636.tif 000009
【図８】
2007081636.tif 000010